(57)【要約】      （修正有）【課題】脚が外側に突き出されている折畳みテーブルの場合でも、折畳み幅を小さくでき、運送時や保管時にデッドスペースが生じることを防止できる構造を有した折畳みテーブルを提供する。【解決手段】折畳み時に天板１を垂直に配置可能に形成する。また天板１を支持する脚３の下側箇所３１を、外側に曲げて出っ張り状に形成する。脚３の下側箇所３１を、脚３の本体部３２から取り外し可能に形成する。さらに、脚３の下側箇所３１の上端を嵌め付け用の雄形部に形成し、この雄形部を挿し込むための雌形部を脚３の本体部３２の下端に形成する。また嵌め付け用の雄形部と脚３の本体部３２の下端とを、嵌め付け時にネジ止め可能にする。【選択図】図１
0003171576.tif 000002
【実用新案登録請求の範囲】
【請求項１】
折畳み時に天板が垂直に配置可能に形成され、天板を支持する脚の下側箇所が外側に曲げられて出っ張り状に形成されている折畳みテーブルであって、上記の脚の下側箇所が、脚の本体部から取り外し可能に形成されていることを特徴とする折畳みテーブル。
【請求項２】
請求項1記載の折畳みテーブルであって、脚の下側箇所の上端が嵌め付け用の雄形部に形成され、この雄形部を挿し込むための雌形部が脚の本体部の下端に形成されていることを特徴とする折畳みテーブル。
【請求項３】
請求項２記載の折畳みテーブルであって、嵌め付け用の雄形部と脚の本体部の下端とが、嵌め付け時にネジ止め可能に形成されていることを特徴とする折畳みテーブル。
【考案の詳細な説明】
【技術分野】
【０００１】
本考案は、テーブルに関し、更に詳しくは折畳んで薄型化、コンパクト化できるよう形成されている折畳みテーブルに関するものである。
【背景技術】
【０００２】
従来、この種のテーブルとしては、例えば特許文献１に記載されているものがある。
この従来品は、運送時や保管時に薄型化できるよう、天板を水平状態から横軸を中心に９０度回して垂直に配置可能に形成されている。
【０００３】
而して、特許文献１に記載の従来品は、天板を支持する脚の下側箇所が外側に向かって曲げられていた。
従って、この従来品の場合は、運送時や保管時に、天板を９０度回して垂直に畳んでも、脚の下側箇所が外側に突き出されて嵩張ったから、その分だけデッドスペースが生じるのを避けられなかった。
その結果、この従来品によると、荷造りを小さくすることができず、また保管スペースが広く必要になり、運送コストや保管コストがかかる、という問題点があった。
【先行技術文献】
【特許文献】
【０００４】
【特許文献１】特開２００４−１３５７２５号公報
【考案の概要】
【考案が解決しようとする課題】
【０００５】
本考案は、このような従来品の問題点に鑑み、提案されたものである。
従って本考案の解決しようとする技術的課題は、脚が外側に突き出されている折畳みテーブルの場合でも、折畳み幅を小さくでき、運送時や保管時にデッドスペースが生じることを防止できるよう形成した使い勝手の良い折畳みテーブルを提供することにある。
【課題を解決するための手段】
【０００６】
本考案は、上記の課題を解決するため、次のような技術的手段を採る。
即ち、本考案は、図１等に示されるように、折畳み時に天板１が垂直に配置可能に形成され、天板１を支持する脚３の下側箇所３１が外側に曲げられて出っ張り状に形成されている折畳みテーブルであって、上記の脚３の下側箇所３１が、脚３の本体部３２から取り外し可能に形成されていることを特徴とする（請求項１）。
【０００７】
本考案の場合、天板１は、図１等に示されるように、中央部から二つ折り状に畳まれて垂直に配置可能に形成されている場合には限られない。即ち、本考案品は、天板１が一枚の状態で９０度回転されて垂直に配置可能に形成されているのでも良い。
また本考案の場合、脚３の下側箇所３１は、外側に曲げられて出っ張り状に形成されているのであれば、その形状は自由であり、湾曲状でも鉤形でも良い。
【０００８】
またここで、取り外し可能とは、脚３の下側箇所３１を、ワンタッチ等の簡単、迅速な手段で脚３の本体部３２から分離できることを意味し、具体的には、嵌め付け等の手段がある。嵌め付け構造の場合は、曲がった形状の下側箇所３１の中にゴミなどが入るとその排出が面倒であるから、脚３の下側箇所３１の上端が嵌め付け用の雄形部３１ａに形成され、この雄形部３１ａを挿し込むための雌形部３２ａが脚３の本体部３２の下端に形成されているのが好ましい（請求項２）。
【０００９】
またこの場合、嵌め付け用の雄形部３１ａと脚３の本体部３２の下端とは、嵌め付け時にネジ止め可能に形成されているのが好ましい（請求項３）。
なぜならこれによると、脚３の下側箇所３１と本体部３２との接続状態を、より確実に且つ強固にできるからである。
【考案の効果】
【００１０】
本考案は、このように折畳み時に天板が垂直に配置可能に形成され、天板を支持する脚の下側箇所が外側に曲げられて出っ張り状に形成されている折畳みテーブルであって、上記の脚の下側箇所が、脚の本体部から取り外し可能に形成されているものである。
【００１１】
従って本考案は、脚が外側に突き出されている折畳みテーブルの場合でも、折畳み幅を小さくでき、折畳み時にデッドスペースが生じることを防止できる。
その結果、これによれば、荷造りを小さくでき、運送量や保管量を増加でき、運送や保管のコストを抑えることができる、という実用上優れた効果を奏する。
【図面の簡単な説明】
【００１２】
【図１】本考案のテーブルの好適な一実施形態を示す側面図である。
【図２】同上テーブルの斜視図である。
【図３】同上テーブルの正面図である。
【図４】同上テーブルの作用を説明するための要部斜視図である。
【図５】同上テーブルの作用を説明するための要部斜視図である。
【図６】同上テーブルの要部縦断面図である。
【考案を実施するための形態】
【００１３】
以下、本考案を実施するための好適な一実施形態を、添付図面に従って説明する。
本考案は、図１等に示されるように、折畳み時に天板１が垂直に配置可能に形成されている。この実施形態の本考案は、天板１が中央の位置から、長手方向に沿った横軸２を中心に二つ折り状に形成されている。
【００１４】
また天板１を支持する脚３は、この実施形態では天板１の四隅に対応して配置され、天板１の下側に計４本枢着されている。なお、天板１の各分割板１ａ、１ａを支持する脚３同士は、図２、図３等に示されるように、棒状の連結部材４で連結され、補強されている。
【００１５】
また脚３の下側箇所３１は、外側に曲げられて出っ張り状に形成されている。そして、本考案品は、この脚３の下側箇所３１が、直線状に形成されている脚３の本体部３２から、取り外し可能に形成されている。
【００１６】
具体的には、図４に示されるように、脚３の下側箇所３１の上端が嵌め付け用の雄形部３１ａに形成され、この雄形部３１ａを挿し込むための雌形部３２ａが脚３の本体部３２の下端に形成されている。本体部３２は、円筒形のパイプで形成され、雌形部３２ａは本体部３２の下端の内部空間を利用して形成されている。
なお、脚３の下側箇所３１の下端には、キャスター５が設けられている。
【００１７】
またこの実施形態では、図５、図６に示されるように、嵌め付け用の雄形部３１ａと、脚３の本体部３２の下端とが、嵌め付け時にネジ止め可能に形成されている。具体的には、雄形部３１ａに横孔６が貫通状に形成され、またこの横孔６に対応する脚３の本体部３２の下端の位置に、ネジ孔７が形成されている。そして、脚３の本体部３２の下端の外側面に、ネジ８の先を締め込むためのナット９が溶接されている。
【００１８】
次に、この実施形態の本考案品の作用を説明する。
本考案品は、図１に実線で示されるように、運送時や保管時は、折り畳んで使用する。
【００１９】
具体的には、先ず使用者は、天板１の分割板１ａ、１ａを水平に維持しているロック（図示せず）を解除し、天板１を横軸２を中心に二つ折りする。これにより、天板１の分割板１ａ、１ａが背中合わせに重ねられ、また天板１に枢着されている脚３が互いに引き寄せられて合わされる。
【００２０】
次に使用者は、ネジ８を緩めて抜き取り、脚３の下側箇所３１を、図４に示されるように、本体部３２から抜いて取り外す。これにより、脚３は直線状の本体部３２のみになるから、天板１と脚３は、略平行状に薄く折り畳まれる。
【００２１】
また組み立てるときは、脚３の下側箇所３１の雄形部３１ａを、本体部３２の下端の雌形部３２ａに挿し込む。そして、使用者は、ネジ８をネジ孔７と横孔６に通し、ナット９に締め込み、脚３を作る。
【００２２】
その後、使用者は、図１に鎖線で示されるように、天板１の分割板１ａ、１ａを、横軸２を中心に外側に回して水平に配置する。これにより脚３が、分割板１ａ、１ａと一緒に広げられ、天板１の支持が可能になる。
【符号の説明】
【００２３】
１      天板
２      横軸
３      脚
３１    脚の下側箇所
３１ａ  雄形部
３２    脚の本体部
３２ａ  雌形部
４      連結部材
５      キャスター
６      横孔
７      ネジ孔
８      ネジ
９      ナット
【図１】
0003171576.tif 000003
【図２】
0003171576.tif 000004
【図３】
0003171576.tif 000005
【図４】
0003171576.tif 000006
【図５】
0003171576.tif 000007
【図６】
0003171576.tif 000008
【手続補正書】
【提出日】平成23年9月3日(2011.9.3)
【手続補正１】
【補正対象書類名】実用新案登録請求の範囲
【補正対象項目名】請求項１
【補正方法】変更
【補正の内容】
【請求項１】
天板が横軸を中心に二つ折り状に形成され、この天板の各分割片が背中合わせに重ねられて折畳み時に天板が垂直に配置可能に形成され、天板を支持する脚の下側箇所が外側に曲げられて出っ張り状に形成されている折畳みテーブルであって、上記の脚の下側箇所の上端が、脚の直線状の本体部の下端から抜き取られて脚の下側箇所が、脚の本体部から取り外し可能に形成されていることを特徴とする折畳みテーブル。
【手続補正２】
【補正対象書類名】明細書
【補正対象項目名】０００６
【補正方法】変更
【補正の内容】
【０００６】
本考案は、上記の課題を解決するため、次のような技術的手段を採る。
即ち、本考案は、図１等に示されるように、天板１が横軸２を中心に二つ折り状に形成され、この天板１の各分割片１ａ、１ａが背中合わせに重ねられて折畳み時に天板１が垂直に配置可能に形成され、天板１を支持する脚３の下側箇所３１が外側に曲げられて出っ張り状に形成されている折畳みテーブルであって、上記の脚３の下側箇所３１の上端が、脚３の直線状の本体部３２の下端から抜き取られて脚３の下側箇所３１が、脚３の本体部３２から取り外し可能に形成されていることを特徴とする（請求項１）。
【手続補正３】
【補正対象書類名】明細書
【補正対象項目名】０００７
【補正方法】変更
【補正の内容】
【０００７】
本考案の場合、脚３の下側箇所３１は、外側に曲げられて出っ張り状に形成されているのであれば、その形状は自由であり、湾曲状でも鉤形でも良い。